(57)【要約】      （修正有）【課題】打撃部は、緊密に定位され脱落せず、便利に収納可能な打撃装置を提供する。【解決手段】台座１０と、ディスク２０と、樹脂製のロッド４０と、スリーブ６０と、を含む打撃装置において、前記台座は、ものを充填可能であり、前記ディスクは、前記台座の表面と連接しており、受け台を有し、前記受け台には、弾性体の第一端が設けられており、前記ロッドは、一端が前記弾性体の第二端と結合しており、他端が打撃部と係合可能な係合端であり、前記打撃部は、小径の内袋５１と、大径の外袋５２と、を含み、前記内袋と前記外袋との間はエア充填空間５３であり、前記内袋は、少なくとも一端が開放端であり、前記ロッドの係合端が前記内袋の内部に係止されており、前記ロッドの前記内袋の開放端の外縁と対向する箇所には、前記内袋の開口よりも大きい係り具４２が凸設されており、前記スリーブは、前記打撃部と前記係り具とをカバーしている。【選択図】図３
0003150270.tif 000002
【実用新案登録請求の範囲】
【請求項１】
台座と、ディスクと、樹脂製のロッドと、スリーブと、を含む打撃装置において、
前記台座は、ものを充填可能であり、
前記ディスクは、前記台座の表面と連接しており、受け台を有し、前記受け台には、弾性体の第一端が設けられており、
前記ロッドは、一端が前記弾性体の第二端と結合しており、他端が打撃部と係合可能な係合端であり、前記打撃部は、小径の内袋と、大径の外袋と、を含み、前記内袋と前記外袋との間はエア充填空間であり、前記内袋は、少なくとも一端が開放端であり、前記ロッドの係合端が前記内袋の内部に係止されており、前記ロッドの前記内袋の開放端の外縁と対向する箇所には、前記内袋の開口よりも大きい係り具が凸設されており、これにより、前記ロッドが前記打撃部の対向位置に定位され、
前記スリーブは、前記打撃部と前記係り具とをカバーしており、定位部が設けられていることを特徴とする、打撃装置。
【請求項２】
前記定位部は、前記スリーブの開口に括りバンドが設けられており、前記括りバンドにより、前記定位部が前記係り具の外部に定位されることを特徴とする、請求項１に記載の打撃装置。
【請求項３】
前記定位部には底面が設けられており、前記底面の周面にはファスナーが環設されており、前記底面には開口が開設されており、前記ロッドの一端が前記開口から外部に突出していることを特徴とする、請求項１に記載の打撃装置。
【請求項４】
前記弾性体は、金属バネであり、内外面には螺旋が設けられており、前記ロッドは、中空であり、一端には前記バネと螺合可能な外ねじが設けられていることを特徴とする、請求項１に記載の打撃装置。
【請求項５】
前記受け台には溝が設けられており、前記溝の内部には内ねじが設けられており、前記弾性体の一端が前記溝に螺着されていることを特徴とする、請求項４に記載の打撃装置。
【請求項６】
前記台座の底部には開放な収容空間が凹設されていることを特徴とする、請求項５に記載の打撃装置。
【請求項７】
前記ロッドは、樹脂製のものであり、複数のロッドを接合して構成されるものであることを特徴とする、請求項６に記載の打撃装置。
【請求項８】
前記弾性体の第二端には金属チューブが溶接されており、前記金属チューブが前記ロッドに挿入され前記ロッドの内部に固定されることを特徴とする、請求項１に記載の打撃装置。
【考案の詳細な説明】
【技術分野】
【０００１】
本考案は、打撃装置に係り、特に、打撃部は、緊密に定位され脱落せず、便利に収納可能な打撃装置に関するものである。
【背景技術】
【０００２】
従来の打撃装置は例えば、台湾特許第２２８７２３号公報が提案され、これは中心軸を有する台座と、中心穴を有する円筒状ロッドとを含み、前記円筒状ロッドは樹脂製品であり、エアを注入可能であり、エアが充填された前記円筒状ロッドに前記中心軸を挿入することで、前記台座に前記円筒状ロッドを立設することができる。そうすると、打撃装置の組立が完成する。しかし、このような構成によれば、打撃を重複すると、前記円筒状ロッドが元の位置から徐々に上にスライドし、終に打撃不能になるという問題があった。
【０００３】
上記の問題を解決するために、米国特許第６１０６４４３号が提案され、これは、台座には、中心チューブが結合されており、そして打撃ロッドが接合されており、前記中心チューブと前記打撃ロッドとの内部にはスポンジが充填されており、しかし、前記スポンジの背で、便利に収納することができず、これにより、収納スペースが大きくなり、輸送費用が高くなるという問題があった。
【先行技術文献】
【特許文献】
【０００４】
【特許文献１】台湾特許第２２８７２３号公報
【特許文献２】米国特許第６１０６４４３号明細書
【考案の概要】
【考案が解決しようとする課題】
【０００５】
本考案の主な目的は、打撃部は、緊密に定位され脱落せず、便利に収納可能な打撃装置を提供することにある。
【課題を解決するための手段】
【０００６】
本考案の請求項１に記載の打撃装置によると、台座と、ディスクと、樹脂製のロッドと、スリーブと、を含む打撃装置において、前記台座は、ものを充填可能であり、前記ディスクは、前記台座の表面と連接しており、受け台を有し、前記受け台には、弾性体の第一端が設けられており、前記ロッドは、一端が前記弾性体の第二端と結合しており、他端が打撃部と係合可能な係合端であり、前記打撃部は、小径の内袋と、大径の外袋と、を含み、前記内袋と前記外袋との間はエア充填空間であり、前記内袋は、少なくとも一端が開放端であり、前記ロッドの係合端が前記内袋の内部に係止されており、前記ロッドの前記内袋の開放端の外縁と対向する箇所では、前記内袋の開口よりも大きい係り具が凸設されており、これにより、前記ロッドが前記打撃部の対向位置に定位され、前記スリーブは、前記打撃部と前記係り具とをカバーしており、定位部が設けられていることを特徴とする打撃装置である。
【０００７】
本考案の請求項２に記載の打撃装置によると、前記定位部は、前記スリーブの開口で括りバンドが設けられており、前記括りバンドにより、前記定位部が前記係り具の外部に定位される。
【０００８】
本考案の請求項３に記載の打撃装置によると、前記定位部には底面が設けられており、前記底面の周面にはファスナーが環設されており、前記底面には開口が開設されており、前記ロッドの一端が前記開口から外部に突出している。
【０００９】
本考案の請求項４に記載の打撃装置によると、前記弾性体は、金属バネであり、内外面には螺旋が設けられており、前記ロッドは、中空であり、一端には前記バネと螺合可能な外ねじが設けられている。
【００１０】
本考案の請求項５に記載の打撃装置によると、前記受け台には溝が設けられており、前記溝の内部には内ねじが設けられており、前記弾性体の一端が前記溝に螺着されている。
【００１１】
本考案の請求項６に記載の打撃装置によると、前記台座の底部には開放な収容空間が凹設されている。
【００１２】
本考案の請求項７に記載の打撃装置によると、前記ロッドは、樹脂製のものであり、複数のロッドを接合して構成されるものである。
【００１３】
本考案の請求項８に記載の打撃装置によると、前記弾性体の第二端には金属チューブが溶接されており、前記金属チューブが前記ロッドに挿入され前記ロッドの内部に固定される。
【考案の効果】
【００１４】
本考案の打撃装置によれば、打撃部は、緊密に定位され脱落せず、便利に収納可能であるという効果を有する。
【図面の簡単な説明】
【００１５】
【図１】本考案の実施例の組合状態の模式図である。
【図２】本考案の実施例（打撃部を含まず）の分解斜視図である。
【図３】本考案の実施例の断面図である。
【図４】本考案の実施例の使用状態を示す模式図である。
【図５】本考案の別の実施例の断面図である。
【考案を実施するための形態】
【００１６】
以下、本考案の実施の形態を図面に基づいて説明する。
【実施例１】
【００１７】
まず、図１乃至図４を参照する。本考案に係る打撃装置は、台座１０と、ディスク２０と、弾性体３０と、ロッド４０と、打撃部５０と、スリーブ６０と、を含む。台座１０は、中空のリング体であり、その底部には開放の収容空間１１が凹設されており、台座１０の上面には、中心に充填穴１２が開設された溝が設けられており、流体が充填穴１２から台座１０の内部にある空間に流入することができ、これにより、台座１０が堅実になり、ディスク２０は、台座１０の上面に設けられた溝と全面的に接触するように前記溝と螺合しており、そうすると、全体の構造が更に安定し倒れ難くなり、且つネジのナットが収容空間１１の内壁に螺合されることにより、打撃装置の分解・組立が更に容易になり、ネジが容易に緩まず、ディスク２０の上面の中心には受け台２１が形成されており、受け台２１の上面には、内壁に螺旋が設けられた円形溝が形成されており、前記円形溝により弾性体３０がディスク２０と連接する。
【００１８】
弾性体３０は、金属製のバネであり、内外面には螺旋が設けられており、その第一端３１が受け台２１にある円形溝と螺合しており、これにより、組立作業が更に便利になり、弾性体３０の第二端３２には樹脂製の中空のロッド４０が結合されており、ロッド４０の弾性体３０に近接する一端の周面には螺合端４３が形成されており、螺合端４３が弾性体３０の第二端３２と螺合しており、これにより、弾性体３０とロッド４０とが固定され、そうすると、ロッド４０の強度および靭性が向上し、工具を使用せずに組立てることができ、また、ロッド４０の他端には係合端４１が接合されており、係合端４１が打撃部５０に係合されており、使用時に、ロッド４０が係合端４１と連接し、なお、収納時には、ロッド４０から係合端４１を離脱することができ、収納スペースを節約することができる。
【００１９】
打撃部５０は、小径の内袋５１と、大径の外袋５２と、を含み、内袋５１と外袋５２との間はエア充填空間５３であり、内袋５１には絞り空間５４が形成されており、内袋５１の一端が開放端であり、ロッド４０の係合端４１が絞り空間５４の内部に係止されており、ロッド４０の内袋５１の開放端の外縁と対向する箇所では、内袋５１の開放端の直径よりも大きい係り具４２が凸設されており、外袋５２の底面にはエア充填穴５５が設けられており、外袋５２の外側にはスリーブ６０が設けられており、スリーブ６０の底面の周面には定位部が設けられており、前記定位部にはファスナー６１が設けられており、前記定位部の底面には開口が開設されており、前記開口の直径が係り具４２の外径よりも小さく、ロッド４０の螺合端４３が前記開口から外部に突出しており、ファスナー６１によって前記定位部とスリーブ６０とを接合することにより、スリーブ６０が打撃部５０と係り具４２とをカバーし括り、打撃部５０にエアを注入すると、内袋５１がロッド４０を緊迫してロッド４０が固定され、且つエア充填穴５５がスリーブ６０にカバーされるので、衝突によるエア漏れを減少することができ、エアを注入したいときには、ファスナー６１を開けるだけでエアを注入することができ、もちろん、安全を考慮した上で、エア充填穴５５をスリーブ６０から外部に突出させてもよく、そうすると、使用性が更に向上する。
【実施例２】
【００２０】
次に、本考案の別の実施例を説明する。本考案の別の実施例は、弾性体３０の第二端３２には金属チューブ３３が溶接されており、当該ロッド４０の弾性体３０に近接する一端にはシール蓋４４が形成されており、金属チューブ３３がロッド４０に挿入されロッド４０の内部に固定されており、シール蓋４４が弾性体３０の外縁に被せられており、そうすると、金属チューブが衝突されて構造が弱くなるとを回避でき、ロッド４０の強度が増加する。
【００２１】
なお、定位部には、前記スリーブの開口で括りバンド（図示せず）が設けられており、前記括りバンドにより、打撃部と係り具とがスリーブ６０内部に定位され、組付作業および分解作業が更に簡易になる。
【００２２】
特に、本考案に係る打撃装置は、台座の底部には開放な収容空間１１が凹設されており、収容空間１１はエアの漏れた打撃部を収容することができ、収納後の全体体積が減少し、これにより、収納スペースが従来のものより小さくなり、運送費用を低減することができる。
【産業上の利用可能性】
【００２３】
本考案は、打撃装置に適用することができる。
【符号の説明】
【００２４】
１０：台座、１１：収容空間、１２：充填穴、２０：ディスク、２１：受け台、３０：弾性台、３１：第一端、３２：第二端、３３：金属管、４０：ロッド、４１：係合端、４２：係り具、４３：螺合端、４４：シール蓋、５０：打撃部、５１：内袋、５２：外袋、５３：エア充填空間、５４：絞り空間、５５：エア充填穴、６０：スリーブ、６１：ファスナー。
【図１】
0003150270.tif 000003
【図２】
0003150270.tif 000004
【図３】
0003150270.tif 000005
【図４】
0003150270.tif 000006
【図５】
0003150270.tif 000007